(57)【要約】【課題】この発明は、上下多段にかつ面一に配置した板付スポンジを、加圧・摺擦しながら撒水パイプからのシャワーにより自動洗浄することを目的としたものである。【解決手段】この発明は、上下方向へ表面を面一にして並列した板付スポンジの表面に洗浄水を流しながら加圧・摺擦手段を昇降させて洗浄することを特徴とした板付スポンジの自動洗浄方法と、複数の板付スポンジを、上下方向へ面一に並列設置する着脱自在の固定手段と、前記板付スポンジの表面を加圧・摺擦する加圧摺擦手段と、該加圧摺擦手段を往復・昇降させる昇降手段と、前記板付スポンジ面に撒水するシャワー手段とを結合させたことを特徴とする板付スポンジの自動洗浄装置により目的を達成した。【選択図】　　　図１
2004058045.tif 000002
【特許請求の範囲】
【請求項１】
上下方向へ表面を面一にして並列した板付スポンジの表面に、洗浄水を流しながら加圧・摺擦手段を昇降させて洗浄することを特徴とした板付スポンジの自動洗浄方法。
【請求項２】
板付スポンジは、上下方向へ２列に、かつ対向して並列されており、前記板付スポンジの対向間に、加圧・摺擦手段を昇降させて、両対向面を同時に洗浄することを特徴とした請求項１記載の板付スポンジの自動洗浄方法。
【請求項３】
加圧・摺擦手段は、加圧ローラでスポンジ表面を加圧し、摺擦用の羽根ローラをスポンジ面に加圧・摺擦させて相対移動させることを特徴とした請求項１記載の板付スポンジの自動洗浄方法。
【請求項４】
複数の板付スポンジを、上下方向へ面一に並列設置する着脱自在の固定手段と、前記板付スポンジの表面を加圧・摺擦する加圧摺擦手段と、該加圧摺擦手段を往復・昇降させる昇降手段と、前記板付スポンジ面に撒水するシャワー手段とを結合させたことを特徴とする板付スポンジの自動洗浄装置。
【請求項５】
板付スポンジの固定手段は、垂直に架設したレールに、板付スポンジに固定した掛止片を嵌合掛止したことを特徴とする請求項４記載の板付スポンジの自動洗浄装置。
【請求項６】
加圧・摺擦手段は、加圧ローラと、スポンジ面に当接し、強制回転する摺擦用の羽根ローラとを、上下、又は上下左右に、平行架設したことを特徴とする請求項４記載の板付スポンジの自動洗浄装置。
【請求項７】
昇降手段は、上端部と下端部にスプロケットを架設し、このスプロケットの一方をモータの出力軸に連動させると共に、前記スプロケットにチェーンを装着し、該チェーンの両端を加圧・摺擦手段の匣体の上下に固定したことを特徴とする請求項４記載の板付スポンジの自動洗浄装置。
【請求項８】
シャワー手段は、最上部の板付スポンジより高い位置に給水パイプを架設し、給水パイプの下側に、前記板付スポンジのスポンジ面に撒水できるように小孔を設けたことを特徴とする請求項４記載の板付スポンジの自動洗浄装置。
【請求項９】
角筒状の機体の一側壁又は対向する二側壁に、板付スポンジを上下方向へ面一に並列して固定し、前記板付スポンジの内面に加圧当接できる加圧ローラと、摺擦用の羽根ローラとを上下に架設してなる洗浄匣体を、前記機体に沿って昇降可能に取付け、前記洗浄匣体に昇降手段を連結すると共に、前記摺擦用の羽根ローラに駆動手段を連結し、前記機体の上部にシャワー手段を架設したことを特徴とする板付スポンジの自動洗浄装置。
【請求項１０】
角筒状の機体の一側壁又は対向する二側壁に、板付スポンジを上下方向へ並列して面一に固定し、前記板付スポンジの内面に加圧当接できる加圧ローラと、摺擦用の羽根ローラとを上下に架設してなる洗浄匣体を、前記機体に沿って昇降可能に取付け、前記洗浄匣体に昇降手段を連結すると共に、前記摺擦用の羽根ローラに駆動手段を連結し、前記機体の上部にシャワー手段を架設し、前記板付スポンジを固定した少なくとも一側壁板は、縦縁を開閉可能に取付けたことを特徴とする板付スポンジの自動洗浄装置。
【請求項１１】
羽根ローラは、棒状ローラ軸の外壁へ、板羽根を放射状に突設し、又は螺旋状に突設したことを特徴とする請求項６、９、１０の何れか１つ記載の板付スポンジの自動洗浄装置。
【発明の詳細な説明】
【０００１】
【発明の属する技術分野】
この発明は、裏面に止金を付着させた複数枚の板付スポンジを上下方向に並列架設して、その全部を自動洗浄することを目的とした板付スポンジの自動洗浄方法及び装置に関する。
【０００２】
【従来の技術】
従来、板付スポンジの自動洗浄装置については、色々の構造が提案され、実用に供せられている（実公昭６１−３３９０９号）。前記公知の洗浄装置は、裏面に止金などがなく、平板状の板付スポンジであったから、ローラで挟み込み、羽根ローラで摺擦洗浄していた。
【０００３】
近来裏板付きの板付スポンジについても自動洗浄装置が提案されているが、何れも平面的（水平移動方式）であり、能率及び効率について更に改善を要望されていた。
【０００４】
【発明により解決しようとする課題】
前記従来の板付スポンジの自動洗浄装置では、裏面に止金が付着している板付スポンジの洗浄はできなかった。また、裏面に止金が付着した板付スポンジを自動洗浄する装置は、一度に１枚又は２枚洗浄する方式の横型式（水平移動方式）で、その設置面積も大きいので、改善を望まれていた。
【０００５】
特に１枚宛洗浄する装置は、能率が悪く、板付スポンジを単に圧縮・膨張させるだけでは、板付スポンジからの異物の分離除去が不十分になる問題点もあった。
【０００６】
【課題を解決するための手段】
この発明は、縦型にすることにより設置床面積が著しく狭くても多数同時洗浄の目的を十分達成し得ると共に、一度に複数枚（例えば６枚〜１２枚）洗浄できるので、能率を改善し、かつ板付スポンジの表面を摺擦したので、汚物の分離が容易となって洗浄時間を短縮するなど、前記従来の問題点を解決したのである。
【０００７】
即ち、方法の発明は、上下方向へ表面を面一にして並列した板付スポンジの表面に洗浄水を流しながら加圧、摺擦手段を昇降させて洗浄することを特徴とした板付スポンジの自動洗浄方法である。また、板付スポンジは、上下方向へ２列に、かつ対向して並列されており、前記板付スポンジの対向間に、加圧・摺擦手段を昇降させて、両対向面を同時に洗浄するものであり、加圧・摺擦手段は、加圧ローラでスポンジ表面を加圧し、摺擦用の羽根ローラをスポンジ面に加圧・摺擦させて相対移動させるものである。
【０００８】
次に、装置の発明は、複数の板付スポンジを、上下方向へ面一に並列設置する着脱自在の固定手段と、前記板付スポンジの面を加圧・摺擦する加圧摺擦手段と、該加圧摺擦手段を往復・昇降させる昇降手段と、前記板付スポンジ面に撒水するシャワー手段とを結合させたことを特徴とする板付スポンジの自動洗浄装置であり、板付スポンジの固定手段は、垂直に架設したレールに、板付スポンジに固定した掛止片を嵌合掛止したものである。また、加圧・摺擦手段は、加圧ローラと、板付スポンジのスポンジ面に当接し、強制回転する摺擦用の羽根ローラとを、上下、又は上下左右に、平行架設したものであり、昇降手段は、上端部と下端部にスプロケットを架設し、このスプロケットの一方をモータの出力軸に連動させると共に、前記スプロケットにチェーンを装着し、該チェーンの両端を加圧・摺擦手段の匣体の上下に固定したものであり、シャワー手段は、最上部の板付スポンジより高い位置に給水パイプを架設し、給水パイプの下側に、前記板付スポンジの表面に撒水できるように小孔を設けたものである。
【０００９】
次に、他の発明は、角筒状の機体の一側壁又は対向する二側壁に、板付スポンジを上下方向へ面一に並列して固定し、前記板付スポンジの内面に加圧当接できる加圧ローラと、摺擦用の羽根ローラとを上下に架設してなる洗浄匣体を、前記機体に沿って昇降可能に取付け、前記洗浄匣体に昇降手段を連結すると共に、前記摺擦用の羽根ローラに駆動手段を連結し、前記機体の上部にシャワー手段を架設したことを特徴とする板付スポンジの自動洗浄装置である。
【００１０】
また、角筒状の機体の一側壁又は対向する二側壁に、板付スポンジを上下方向へ並列して面一に固定し、前記板付スポンジの内面に加圧当接できる加圧ローラと、摺擦用の羽根ローラとを上下に架設してなる洗浄匣体を、前記機体に沿って昇降可能に取付け、前記洗浄匣体に昇降手段を連結すると共に、前記摺擦用の羽根ローラに駆動手段を連結し、前記機体の上部にシャワー手段を架設し、前記板付スポンジを固定した少なくとも一側壁板は、縦縁を開閉可能に取付けたことを特徴とする板付スポンジの自動洗浄装置である。
【００１１】
更に、羽根ローラは、棒状ローラ軸の外壁へ、板羽根を放射状に突設し、又は螺旋状に突設したことを特徴とするものである。
【００１２】
この発明は、止金付の板付スポンジの複数枚を縦に面一に並べて、一度に洗浄する点が従来に見られない新しい技術思想である。このような方式を採用することによって、洗浄した際の汚物（異物）が自動的に流下し、再び付着するおそれがないばかりでなく、摺擦手段の昇降によって、各板付スポンジは平等に洗浄される。従って、取付位置により洗浄過剰又は洗浄不足を生じるおそれはない。
【００１３】
前記のように汚物は分離すると共に流下するので、洗浄度合が一目瞭然となる。また、加圧ローラと羽根ローラを交互に配置したので、板付スポンジへの圧迫と膨張の繰り返しと、板付スポンジ表面の摺擦（強制的にこすり取る）が有効に作用し、除去効率を向上させることができる。
【００１４】
この発明においては、加圧・摺擦手段がセットとして昇降するので、故障のおそれがなく、動作が確実であって、調整不良などが生じた場合は直ちに判明する。また、羽根ローラのみ強制回転し、加圧ローラは自由回転（フリー）するので、回転速度と、昇降速度とが自ら同期する。一方、羽根ローラは強制回転するので、同一位置（僅少のずれのもと）を複数回摺擦することもできる。この点は昇降速度と羽根ローラの回転数との関係で自由に調節することができる。
【００１５】
前記における加圧・摺擦手段の匣体には、加圧ローラが自由回転し、摺擦ローラは強制回転するのであるが、前記匣体にモータが固定してあるので、匣体の昇降に拘わらず、モータ軸の連動系は正確に保持されている。また、摺擦ローラは強制回転であって、スポンジ面を摺擦するように回転速度と昇降速度の間に一定の関係を保たせてある。
【００１６】
また、匣体の昇降に伴い、摺擦ローラの回転方向を切り替えることにより、摺擦効果を一層向上させるようにしてある。また、加圧ローラは、スポンジ面に加圧当接してるので、昇降に際し、回転方向が逆になる。
【００１７】
【発明の実施の形態】
この発明は、裏面に止金のある板付スポンジを上下方向へ面一に並列させ、これを一面又は対面させた状態で摺擦手段を昇降させて、加圧ローラを加圧当接し、羽根ローラを強制回転させて、板付スポンジの表面に付着した汚物を分離除去する。この場合に、上方から水をシャワーして、分離汚物を流除させるようにしている。
【００１８】
この発明の装置は、縦長方向に板付スポンジを嵌着するレールを、機体の骨格となるべく直立設置した四本の支柱に取付け、１組のレール間に板付スポンジを夫々固定する。次に対向する板付スポンジの間へ、加圧ローラと羽根ローラを上下方向へ交互に架設し、これを左右２列として対向板付スポンジを同時に加圧・摺擦できるようにしてある。
【００１９】
前記加圧ローラと、羽根ローラの架設匣体は、チェーンにより昇降可能に設置すると共に、前記支柱の上部に散水用の給水パイプを架設し、給水パイプの下面に小孔を設けてシャワーできるようにしてある。
【００２０】
前記レールの下部は水槽内へ収容してあり、洗浄排水は水槽内へ溜まり、適宜排水される。
【００２１】
【実施例１】
この発明の実施例を図１に基づいて説明する。生海苔の脱水に使用して汚れた板付スポンジを上下面一になるように縦に固定し、その表面を加圧し、摺擦して汚物を分離すると共に清水をシャワーして洗除し、排水は濾過して放流する。ついで板付スポンジを取り外して、使用場所へ移動する。
【００２２】
前記において、板付スポンジは、縦に面一に並列して固定され、加圧・摺擦手段を昇降して汚物を分離し、これをシャワーにより洗除する。
【００２３】
板付スポンジを縦に並べるために、汚物の処理、排水などが自動的に行われるのみならず、床面積を著しく縮小できる利点がある。
【００２４】
【実施例２】
この発明の実施例を図２、３、４に基づいて説明する。床板１へ４本の支柱２ａ、２ｂ、２ｃ、２ｄを平面方形の隅部位置へ直立設置して機体の骨格とし、前記支柱２ａと２ｂ間へ前壁板３ａを垂直軸に対して開閉自在に蝶着し、該前壁板３ａの両縦縁に垂直方向にレール４ａ、４ｂを固定し、該レール４ａ、４ｂへ板付スポンジ５の止金６、６を嵌着して、板付スポンジ５が面一になるように順次固定する（図４−（ａ）、（ｂ））。
【００２５】
前記支柱２ｃ、２ｄに後壁板３ｂを固定し、その両縦縁に、垂直方向にレール４ｃ、４ｄを固定し、該レール４ｃ、４ｄへ板付スポンジ５の止金６、６を嵌着して、板付スポンジ５が面一になるように固定する（図３、５）。
【００２６】
前記支柱２ａ、２ｂ、２ｃ、２ｄには、匣体７を昇降自在に嵌装し、該匣体７の内側に、上から加圧ローラ８ａ、羽根ローラ９ａ、加圧ローラ８ｂ、羽根ローラ９ｂ及び加圧ローラ８ｃを上下に並列架設し、このローラ列を左右２列とする（図４）。前記における加圧ローラ８ａ、８ｂ、８ｃは、前記板付スポンジ５を加圧し（図４）、羽根ローラ９ａ、９ｂは、板付スポンジ５の表面を摺擦している。また、羽根ローラ９ａ、９ｂは、羽根の先端が板付スポンジ５の表面を強くこする作用がある。一方、加圧ローラ８ａ、８ｂ、８ｃは、板付スポンジ５の表面を加圧凹入させるので、その通過によりスポンジは加圧前の位置まで復元するので、板付スポンジ５内の水分を排出（絞り出す）したり、水分を吸入したりすることになる。
【００２７】
前記支柱２ａ、２ｂ、２ｃ、２ｄの上端部に上板１０を固定し、上板１０上へモータ１１を設置すると共に、上板１０の下面へ回転軸１２と、撒水パイプ１３が固定してある。前記モータ１１の軸に固定したスプロケット１４と、回転軸に固定したスプロケット１５とにチェーン１６を装着し、前記回転軸１４に固定したスプロケット１７と、底板１に架設した回転軸１８のスプロケット１９とにチェーン２０を装着し、チェーン２０の一端は、匣体７の上部固定片３４に固定し、チェーン２０の他端は匣体７の下部固定片３３に固定する（図３）。
【００２８】
前記回転軸１２の他端部に固定されたスプロケット１７ａと、前記回転軸１８の他端部に固定されたスプロケット１９ａとに、チェーン２０ａが装着されており、チェーン２０ａの一端は匣体７の上部固定片３４ａに固定され、チェーン２０ａの他端は匣体７の下部固定片３３ａに固定されている。従って、匣体７はチェーン２０、２０ａの移動によって均等に昇降され、洗浄は円滑に行われる（図２、３）。
【００２９】
また匣体１の外壁にはモータ２１を固定し、モータ２１の軸に固定したスプロケット２２と、羽根ローラ９ａ及び９ｂに固定したスプロケット２３、２４とにチェーン２５を装着すると共に（図３、７）、上下左右の羽根ローラ９ａ、９ｂに固定したギヤー２６、２７、２８、２９を互いに咬み合わせて羽根ローラ９ａ、９ｂの駆動系を構成し、この発明の洗浄装置３０を完成した。図７中、３１はチェーン２５の張力を調節するスプロケット、図３中３２は水槽、４９は蝶番、５０は前壁板３の把手、図５中５１は案内ローラである。
【００３０】
前記実施例は、図８（ａ）のように、ローラ軸の外壁に一定幅で矩形状の板羽根９ｅを放射状に突設して羽根ローラ９ａを形成した構造であるが、前記羽根ローラ９ａには、前記図８（ａ）の構造だけでなく、次のような構造もある。
【００３１】
例えば、図８（ｂ）、（ｃ）のようにローラ軸の外壁に一定幅で矩形状の板羽根９ｃを半巻き又は１巻き螺旋状に巻き付けて、羽根ローラ９ａを形成した構造がある。
【００３２】
更に、図８（ｅ）のように、ローラ軸の外壁に、逆Ｖ突条の板羽根９ｄを放射状に突設して羽根ローラ９ａを形成した構造である。
【００３３】
前記のように羽根ローラの具体的構造については制約なく、要はスポンジに適度かつ繰り返し加圧と、摺擦とを与える羽根ローラならば、何れも使用することができる。
【００３４】
前記において、板羽根を放射状に突設した場合には、スポンジ面に対して衝撃力を付与する特質がある。また、螺旋状に突設した場合には、円滑に加圧摺刷する特質があり、比較的騒音の発生が少ない。
【００３５】
更に、逆Ｖ状に突設した場合にはスポンジ面に、板羽根が喰いつき易い特質がある。
【００３６】
前記ローラ軸は、棒状、筒状などが考えられ、その外壁は円形が普通であるが、角形でも良いことは勿論である。
【００３７】
前記実施例についてその動作を説明すると、まず前壁板３ａを矢示３５のように開き（図５）、前壁板３ａ及び後壁板３ｂに、板付スポンジ５を上下へ順次に取付け、前壁板３ａ及び後壁板３ｂへ板付スポンジ５の取付けが終わったならば、矢示３６のように前壁板３ａを閉じた後、モータ１１、２１のスイッチを入れる。また、前壁板３ａを確実に閉じるとスイッチが入るようにすることもできる。そこでモータ１１が始動すると、その軸の回転に伴いスプロケット１４、１５、１７が回転する。スプロケット１７が矢示３７の方向へ回転すると（図３）、チェーン２０は矢示３８のように移動（上昇）するので、匣体７も同方向へ移動することになる（図３）。また、モータ２１の軸の回転によりスプロケット２２とチェーン２５を介し（図７、矢示５３）、スプロケット２３、２４を矢示３９、４０の方向に回転させるので、各羽根ローラ９ａ、９ｂは夫々矢示４１、４２の方向へ回転する（図４、７）。
【００３８】
そこで、匣体７の上昇（矢示４６）に伴い加圧ローラ８ａ、８ｂ、８ｃは夫々矢示４３、４４、４５の方向へ自転する（図４）。そこで板付スポンジ５の表面は羽根ローラ９ａ、９ｂの摺擦によって汚物がかき取られ、加圧ローラ８ａ、８ｂ、８ｃの自転によって、板付スポンジ５が圧縮作用と膨張作用を繰り返し受けて、排水・吸水が行われ、撒水パイプ１３、１３からのシャワー（矢示５２）と相俟ってスポンジは洗浄される。このようにして、匣体７が上死点（最上部）に達したならば、リミットスイッチ４８に当接するので（図３）、モータ１１、２１の回路スイッチ（図示していない）を切り換えて、これを逆転させる。従って、前記各スプロケット及びチェーンは前記と逆に回転（移動）し、匣体７の下降に伴う摺擦洗浄を行う。このようにして匣体７が下死点（最下部）に達すると、リミットスイッチ４７に当接（図３）し、再びモータ１１、２１のスイッチを切り換えて、夫々始動時と同様に匣体７の上昇と洗浄が開始される。前記匣体７の昇降は、タイマー（図示していない）により、又は昇降回数のカウントにより自動的に停止するようにしてある。
【００３９】
前記のようにして、昇降を繰り返し、板付スポンジ５を完全に洗浄したならば、洗浄を中止し、前壁板３ｄを矢示３５のように開いて（図５）、前壁板３ａと後壁板３ｂの板付スポンジ５、５を取外し、洗浄の１サイクルを終了する。
【００４０】
前記実施例においては、加圧ローラは自由回転であるから、匣体７の上昇時と、下降時は逆回転するが、羽根ローラは強制回転であるから、上昇時と下降時に逆回転させ、又は同一方向へ回転させることもできる。
【００４１】
【発明の効果】
この発明によれば、板付スポンジを上下多段に取付け（一側壁又は対向壁に取付け）るので、複数（例えば６〜１２枚）の板付スポンジを同時に洗浄し得る効果がある。
【００４２】
また、加圧ローラと羽根ローラにより撒水下で洗浄するので、汚物の分離効率が良好であり、迅速な洗浄ができる効果がある。
【００４３】
この発明のように、縦型洗浄装置によれば、装置の設置面積が著しく少なくなる効果がある。
【図面の簡単な説明】
【図１】この発明の実施例のブロック図。
【図２】同じく装置の実施例の一部を省略した斜視図。
【図３】同じく一部を省略した斜視図。
【図４】（ａ）　同じく一部を省略した一部断面拡大図。
（ｂ）　同じく止金による板付スポンジの取付けを示す一部拡大縦断面図。
（ｃ）　同じく一部拡大横断面図。
【図５】同じく加圧ローラと羽根ローラと板付スポンジとの状態及び前壁板の開閉状態を示す一部を省略し一部断面した平面拡大図。
【図６】同じく匣体の一部を省略した拡大立面図。
【図７】同じく羽根ローラの駆動系を示す概念図。
【図８】（ａ）　同じく羽根ローラの実施例の斜視図。
（ｂ）　同じく他の実施例の斜視図。
（ｃ）　同じく図（ａ）中Ａ−Ａ断面図。
（ｄ）　同じく他の実施例の斜視図。
（ｅ）　同じく逆Ｖ羽根の実施例の斜視図。
【符号の説明】
１　底板
２ａ、２ｂ、２ｃ、２ｄ　支柱
３ａ　前壁板
３ｂ　後壁板
４ａ、４ｂ、４ｃ、４ｄ　レール
５　板付スポンジ
６　止金
７　匣体
８ａ、８ｂ、８ｃ　加圧ローラ
９ａ、９ｂ　羽根ローラ
１０　上板
１１、２１　モータ
１２、１８　回転軸
１３　撒水パイプ
１４、１５、１７、１８、２２、２３、２４、２６、２７、２８、２９　スプロケット
１６、２０、２０ａ、２５　チェーン
【図１】
2004058045.tif 000003
【図２】
2004058045.tif 000004
【図３】
2004058045.tif 000005
【図４】
2004058045.tif 000006
【図５】
2004058045.tif 000007
【図６】
2004058045.tif 000008
【図７】
2004058045.tif 000009
【図８】
2004058045.tif 000010